(57)【特許請求の範囲】
【請求項１】
空調機が設置される空調機室と、
この空調機室に形成され、少なくとも空調機室外の空気である外部空気を取り込む外部空気取込口と、
前記空調機室に設置され、前記外部空気取込口から取り込んだ外部空気で前記空調機室の空調を行う空調機と、
一方の口が前記空調機室の側に設置され、他方の口が住宅の各部屋に導かれた複数のダクトと、
これら複数のダクトにそれぞれ設けられた送風機とを備える空調システムであって、
前記空調機室は、
前記空調機室において、前記空調機および前記複数の送風機を、前記空調機を最上位にして上下方向に設置して備えた上で、
前記空調機室の壁面のうち、前記空調機に対向する対向側壁に形成された前記外部空気取込口と、
前記空調機の下方であって前記送風機よりも上方側に位置して、前記空調機と前記複数の送風機を上下に画成するよう配置された画成板と、
前記外部空気および前記空調機から流出する流出空気が前記ダクトの前記一方の口へ向けて送気される前に、前記外部空気および前記流出空気を混合する混合部とを有し、
該混合部は、前記画成板と前記対向側壁との間に形成された通風空間とされている空調システム。
【請求項２】
前記画成板は、折りたたみ可能な板状材である請求項１に記載の空調システム。
【請求項３】
前記画成板は、前記板状材が、ヒンジを軸として、水平状態と垂直状態との間で位置する請求項１または請求項２に記載の空調システム。
【請求項４】
前記画成板は、前記板状材が蛇腹によって伸縮可能である請求項２に記載の空調システム。
【請求項５】
住宅に設置され、空調機を有する空調機室であって、
前記空調機が接続される側壁と、
該側壁に対向し、空調機室外の空気である外部空気を取り込む外部空気取込口が形成された対向側壁と、
前記空調機よりも下方側に位置し、ダクトが接続される送風機と、
前記空調機の下方であって前記送風機よりも上方側に位置して、前記空調機と前記複数の送風機を上下に画成するよう配置された画成板と、
前記外部空気および前記空調機から流出する流出空気が前記ダクトへ向けて送気される前に、前記外部空気および前記流出空気を混合する混合部とを有し、
該混合部は、前記画成板と前記対向側壁との間に形成された通風空間とされている空調機室。
【発明の詳細な説明】
【技術分野】
【０００１】
本発明は、空調システムに関する。
【背景技術】
【０００２】
空調システムの一つである住宅のダクト式全館空調システム（以下、セントラル空調システム）は、高気密・高断熱住宅に多く採用される。しかし、空調面積の増加、運転時間の増加により、個別の空調機であるエアー・コンディショナー（以下、エアコン）方式に比べ、エネルギー消費量が増大する傾向にある。特に複数の部屋を有する住宅では、各部屋の方位の相違により、部屋毎の日射時間が異なる。それ故、各部屋の室内温度に差が生じる。
【０００３】
一方、これまでのセントラル空調システムでは、設置されている送風機が一台でかつ定風量であった。このため、各部屋の風量制御が難しく、結果的に不要な空調、過暖房、過冷房による快適性の低下を招来する虞がある。
したがって、現在のセントラル空調システムでは、高気密・高断熱住宅の優れた熱的性能を生かしきれていない。
【０００４】
そこで、空調機室に設置される空調機と、一方の口が空調機室における前記空調機の側に設置され、他方の口が住宅の各部屋に導かれるように設置された複数のダクトと、それぞれのダクトにおける他方の口に設けられ、空調機からの空気を各部屋に向けて送風する送風機とを備えた技術が、例えば特許文献１に開示されている。
特許文献１に開示の技術では、ダクト毎に設置した送風機の回転速度を変えることができる。これにより、各部屋に吹き出される風量調整を行い部屋ごとの空調を実現できる。
【０００５】
なお、空調とは、空気調節という言葉を略したもので、建物内の空気を中にいる人間や物のために機械を使って空気の状態を調節する設備をいう。空気には、温度・湿度・圧力の三要素があり、通常、不純ガス・粉塵を含んでいる。この空気の温度・湿度を適度に保ち、不純物を除いて清浄にする設備のことを空調設備という。
【先行技術文献】
【特許文献】
【０００６】
【特許文献１】特開平１０−３２５５６５号公報
【非特許文献】
【０００７】
【非特許文献１】社団法人  空気調和・衛生工学会編  「快適な温熱環境のメカニズム」第１４８頁〜１４９頁及び図７・６
【発明の概要】
【発明が解決しようとする課題】
【０００８】
しかし、従来の技術では、次のような配慮がされていない。つまり、空調機室内は、必ずしも均一な温度ではなく、高温の部位もあれば低温の部位もあり、各部位で温度差を生じる場合がある。
【０００９】
このため、当該温度差に起因して、すなわち、空調機室における高温の部位から空気を吸い込むダクトの場合、当該ダクトに導かれる空気の温度は、高めであるから当該空気が供給される部屋の温度は高くなる。
【００１０】
反対に空調機室において低温の部位から空気を吸い込むダクトの場合、当該ダクトに導かれる空気の温度は、低めであるから当該空気が供給される部屋の温度は低くなる。したがって、部屋ごとに空調温度に差を生じ、依然、部屋ごとに温度差（以下、室間温度差）を生じるという問題があった。このため、各部屋、及び住宅全体としての快適性に支障を生じ、さらにはエネルギー消費も大きいという問題を招来した。
【００１１】
本発明は、上記した技術的背景を考慮してなされたもので、その解決しようとする課題は、従来よりも室間温度差を少なくできる技術を提供することにある。
【課題を解決するための手段】
【００１２】
上記した技術的課題を解決するため、本発明では以下の構成とした。
すなわち、本発明の空調システムは、空調機が設置される空調機室と、この空調機室に形成され、少なくとも空調機室外の空気である外部空気を取り込む外部空気取込口と、空調機室に設置され、前記外部空気取込口から取り込んだ外部空気で空調機室の空調を行う空調機と、一方の口が前記空調機室の側に設置され、他方の口が住宅の各部屋に導かれた複数のダクトと、これら複数のダクトにそれぞれ設けられた送風機とを備える空調システムである。そして、前記空調機室は、前記空調機室において、前記空調機および前記複数の送風機を、前記空調機を最上位にして上下方向に設置して備えた上で、前記空調機室の壁面のうち、前記空調機に対向する対向側壁に形成された前記外部空気取込口と、前記空調機の下方であって前記送風機よりも上方側に位置して、前記空調機と前記複数の送風機を上下に画成するよう配置された画成板と、前記外部空気および前記空調機から流出する流出空気が前記ダクトの前記一方の口へ向けて送気される前に、前記外部空気および前記流出空気を混合する混合部とを有し、該混合部は、前記画成板と前記対向側壁との間に形成された通風空間とされている。
【００１３】
本発明の空調システムによれば、空調機室には、外部空気取込口から空調機室に直接導入される外気と空調機から流れ出る空気が混合され、その後、前記ダクトの一方の口へ向けて送気される。よって、外気温、外気温に近い温度の空気（例えば空調機室が屋根裏部屋に設置された場合には、屋根裏部屋の空気の温度）及び空調機によって空調された温度の空気が混合し、結果、空調機室全体の温度がほぼ一様になる。
【００１４】
したがって、このように構成された本発明の空調システムによれば、空調機室と各部屋とを結ぶ複数のダクトを介してほぼ一様な温度の空気が各部屋に送られるようになる。このため室間温度差を少なくすることができる。よって、省エネルギー型の送風システムということができる。
【発明の効果】
【００１５】
このように本発明によれば、日照時間その他の外部環境の影響を受けても部屋毎に極端な温度差のない住宅環境にすることができる。
【図面の簡単な説明】
【００１６】
【図１】本発明の実施例１のセントラル空調システムが適用された高気密・高断熱住宅の断面図
【図２】図１の斜視図
【図３】参考例に係る空調機室の斜視図
【図４】図３の縦断面図
【図５】図４の矢印V方向から見た図
【図６】図４の矢印VI方向から見た図
【図７】図４の矢印VII方向から見た図
【図８】図４のVIII-VIII線断面図
【図９】実施例に係る空調機室の斜視図
【図１０】図９の縦断面図
【図１１】図１０の矢印XI方向から見た図
【図１２】図１０の矢印XII方向から見た図
【図１３】図１０のXIII-XIII線断面図
【図１４】図１１のXIV-XIV線断面図
【図１５】他の参考例に係る空調機室の縦断面図
【図１６】図１５のXVI-XVI線断面図
【図１７】図１５のXVII-XVII線断面図
【図１８】図１５のXVIII-XVIII線断面図
【図１９】図１５のXIX-XIX線断面図
【図２０】本願発明が適用される前の各部屋の温度−時間線図
【図２１】本願発明が適用された後の各部屋の温度−時間線図
【図２２】本願発明の効果を説明するための比較表
【発明を実施するための形態】
【００１７】
以下、この発明を実施するための形態（以下、実施形態）を実施例に基づいて例示的に説明する。但し、この実施例に記載されている構成部品の寸法、材質、形状その相対配置などは、特に特定的に記載がない限りは、この発明の範囲をそれらに限定する趣旨ではない。
本発明の空調システムの好適な実施形態を図面参照して説明する。
【００１８】
まず、図１〜図８を参照して参考例を説明する。
図１は、本発明に係るセントラル空調システムＳ１が適用された高気密・高断熱住宅（以下、住宅）を示す。
高気密とは、住宅内に隙間風が入ってこないようにすることであり、高断熱とは、住宅の外部と接する部分である外壁・屋根・窓などから、冬なら暖気を逃さないように、夏なら熱が入らないようにすることである。それ故、高気密・高断熱住宅は、気密性を高めるために、微細な隙間も埋められる。また、断熱性を高めるために断熱性能の高い断熱材が使用され、窓には複層ガラス入りサッシなどが使用される。
【００１９】
（セントラル空調システム）
セントラル空調システム（以下、空調システム）Ｓ１は、このような住宅の優れた熱的性能を生かすためのものである（図１、２参照）。
【００２０】
そのための重要な要素として次の構成要件を含む。
すなわち、図１〜３からわかるように、空調システムＳ１は、屋根裏に設置された空調機室１と、空調機室１に設置されるエアコン２と、外気ＯＡを空調機室１に送気する送気ダクト３１と、空調機室１の外の空気（屋根裏の空気）を空調機室１に取り込む外部空気吸込口としての屋根裏空気吸込口４００と、空調機室１に向けて流れる外気ＯＡ、及びエアコン２から流出する空気（以下、エアコン空気）を空調機室１内で混合させて、空調機室１の空気温度を均一にするための混合部３３と、混合部３３によって均一温度にされた空気を住宅の各部屋にそれぞれ導く複数の給気ダクト３と、空調機室１内において各給気ダクト３にそれぞれ設けられた給気送風機４と、屋外に室内空気を排気するための排気ダクト３２と、を備える。
【００２１】
（空調機室１）
空調機室１は、住宅と同様、高気密・高断熱の造りにされている。これにより、エアコン２の吹き出し口から流出した冷気や暖気が、空調機室１の外に漏れにくくなる。さらに、空調機室１には、送気ダクト３１の一方の口が嵌合されている外気導入口３１１と、通風口としてのガラリ１５と、点検口１７（図２、３、５参照）とを備える。
【００２２】
（外気導入口３１１）
外気導入口３１１は、送気ダクト３１を経由した外気、例えば屋外の空気を空調機室１に取り入れるための開口である。その開口面には、大気中の粉塵を取り除く図示しないフィルターがはめ込まれている。このため外気は、フィルターを経由で空調機室１内に流入する。
【００２３】
（ガラリ１５）
ガラリ１５は、羽根板を平行に取り付けた扉であり、図１に示すように、空調機室１に設けられる。ガラリ１５は、空調機室１から給気ダクト３を経て、一旦空調機室１の外に出た空気を住宅経由で空調機室１に戻すために住宅内に設けられた通路と連通する。当該通路を符号４７で示し、連通路と呼称する。ガラリ１５が連通路４７とつながることで、空調機室１から流出した給気ＳＡは、住宅の居室４２に流入する。その後、居室内の空気は、住宅のホール４６に導入され、ガラリ１５とつながっている連通路４７経由で、空調機室１にリターンする。
【００２４】
（点検口１７）
図２、３、５に示すように、点検口１７は、空調機室１に設置してあるエアコン２その他の機器の保守・点検のため、点検者が空調機室１に対して出入りするドアである。
参考例では、点検口１７は、空調機室１の一側壁１１１（図２参照）と、垂れ壁６（図５参照）に形成されている。
【００２５】
（エアコン２）
図１〜５、８に示すに、エアコン２は、空調機室１の一側壁１１１に設置されている。そして、エアコン２は、送気ダクト３１から空調機室１に流入した外気で空調機室１の空調を行う。エアコン２は、冷暖房機能を併せもつ家庭用に市販されているもので十分である。エアコン２は、空調機室１の内部に設置される室内機２１と、空調機室１の外部に設置される室外機２２と、室内機２１及び室外機２２の間でフロンガスを循環させるために配管される図示しない配管パイプと、を備える。
【００２６】
（送気ダクト３１）
図１に示すように、図１の屋根裏付近には送気ダクト３１が設けられている。
送気ダクト３１は、その他方の口が、図２に示すように、家屋の外壁に形成された外気取込口１０に取り付けられている。そして、送気ダクト３１には、他方の口から前記一方の口の側に向けて、外気導入部である深形フード１２１、大気中の粉塵を取り除くフィルターユニット１３、冷暖房時に発生する熱ロスを抑制するため熱エネルギーを回収する熱交換気ユニット１４が、順番に設けられている。
【００２７】
（屋根裏空気吸込口４００）
図１〜３（特に図３）に示すように、エアコン２の上部には、屋根裏空気吸込口４００が設けられている。
【００２８】
屋根裏空気吸込口４００は、空調機室１の一側壁１１１のうち天井近くの上方部に形成されている。また、屋根裏空気吸込口４００は、長方形状をした大穴であり、ここから屋根裏空気を空調機室１内に吸い込むようになっている。そのため、屋根裏空気吸込口４００の横幅は、側壁１１１の長手方向に端から２／３位まで延びる程度の寸法になっている。但し、側壁の横幅一杯の長さでもよい。
【００２９】
さらに、その縦幅は、空調機室１の天井高のほぼ１／３の寸法である。空調機室１内において、屋根裏空気吸込口４０に向かって右側には、点検口１７が形成されている。
【００３０】
そして、天井裏には、通常、粉塵が存在する。そこで、粉塵を空調機室１内に取り込まないよう除去する必要がある。そのため、屋根裏空気吸込口４００の全面は粉塵を除去する粉塵除去フィルター４０１で覆われている。
なお、屋根裏空気吸込口４００及び外気導入口３１１のことを空調機室外の空気を取り込むための外部空気取込口ということにする。
【００３１】
図３に示すように、屋根裏空気吸込口４００の形成されている側壁１１１において、屋根裏空気吸込口４００のほぼ真下でその長手方向における中央部には、エアコン２が設置されている。エアコン２の能力（以下、エアコン能力）は、冷暖房負荷計算により決定する。また、エアコン能力は、住宅の構造・施工に大きく依存し、実績に基づく経験値から機器選定を行う。
【００３２】
例えば、断熱区分４地域の通常（１４０ｍ2程度）の住宅ではエアコンの能力は１台（５ｋｗ相当）設置すればよい。しかし、住宅の形状、住まい方により、２台以上設置することもある。エアコンを複数台並べるときは、屋根裏空気吸込口４００のほぼ真下でその長手方向に沿って直列すると好適である。
【００３３】
（混合部３３）
図３〜５、７及び８に示すように、混合部３３は、空調機室１の天井面に垂れ壁６を垂下することで画成されてなる区切り部屋の一方の部屋である。垂れ壁６は、図３及び４からわかるように、空調機２及び送風機４の間に位置する。混合部３３には、送気ダクト３１経由で外気を取り込む外気導入口３１１が位置する（図１〜３参照）。
【００３４】
外気導入口３１１はエアコン２の設置されている側壁１１１におけるエアコン２の脇に設けてもよい。また外気導入口３１１はエアコンの上方に設置してもよい。なお、垂れ壁６を境にして混合部３３の反対側の部屋は、住宅の居室に空調機室の空気を給気送風機４で分散するための部屋であるので、分散室ということにする。分散室を符号１００で示す。
【００３５】
（垂れ壁６）
図３、４で示す垂れ壁６は、外気導入口３１１から取り込まれる外気、屋根裏空気吸込口４００から取り込まれる屋根裏空気及びエアコン空気が、前記給気ダクト３へ向けて送気される前に、それらの空気の進行を阻んで混在させるために設置された壁である。垂れ壁６により混合部が形成されるので、垂れ壁６を混合部形成部材ということにする。
【００３６】
また、垂れ壁６は、空調機室１の内部空間を分断することにより空調機室１を二分する画成板でもある。
さらに、垂れ壁６は、空調機室１に垂下されたときに、空調機室１の床面１６との間に３０〜５０センチ程度の狭路である通風空間Ｓを形成できるような寸法とされている。
【００３７】
そして、空調機室１において、垂れ壁６を境にその一方の空間にエアコン２が配置されるとともに、空調機室１の一壁面１１１には、既述のように屋根裏空気吸込口４００が形成される。そして、垂れ壁６の他方の側における部屋では給気送風機４が配置されている。
加えて、空調機室１の一壁面１１１に形成されている点検口１７に対向して、垂れ壁６にも点検口１７が形成されている。
【００３８】
（給気送風機４）
図３、４で示すように、給気送風機４は、垂れ壁６と平行になるように天井面から垂下されている給気送風機取り付け壁４４に取り付けられている。給気送風機取り付け壁４４は格子状をしている。そして、この参考例では、給気送風機４が、給気送風機取り付け壁４４に対し、離隔状態の上下２段で、片段６基の合計１２基が取り付けられている。給気送風機取り付け壁４４のうち、垂れ壁６のある側と反対の側は、給気ダクト３の配管スペース１０２として確保されている。
【００３９】
また、複数ある給気送風機４は、それぞれが給気ダクト３の一方の口に対してそれぞれ設けられている。そして、住宅の複数の部屋へ給気ダクト３を介して給気をする。
給気送風機４は、直流（ＤＣ）モータを駆動源として回転される。その設置数は、空調対象の居室４２の数と同じである。そして、空調機室１の壁面１２ｂや床面１６には、空調対象の居室４２の数だけ給気ダクト３の通る図示しない通し孔が形成されている。これらの通し孔に給気ダクト３を通してから、給気ダクト３の一方の口を各給気送風機４に接続する。
【００４０】
（給気ダクト３）
図１に示すように給気ダクト３は、空調機室１で空調された空気を住宅の各部屋に供給する。
給気ダクト３は、低圧損フレキシブルダクトであることが望ましい。そして、その中を通風するにあたり、空気に抵抗（通風抵抗）ができるだけ掛からないよう、給気ダクト３は、直線的に又は大きな曲率を有する曲線形状で配管されている。
【００４１】
またこの参考例では、給気ダクト３の一方の口は、給気送風機４と接続されたが、給気ダクト３の他方の口は、住宅の空調対象の部屋である複数の居室４２と床下３６に案内され、それぞれに設けられた吹出しグリル５０とつなげられる。そして、吹出しグリル５０からは、空調機室１で空調された空気（以下、給気ＳＡ）が給気ダクト３経由で、居室４２や床下３６に向けて吹き出す。
【００４２】
（給気ＳＡ）
図１及び図２に示す給気ＳＡは、空調機室１内で、送気ダクト３１経由で空調機室１に流入した外気ＯＡ、屋根裏空気及びエアコン空気の三者が、混在してできた空気である。また、居室４２等における吹出しグリル５０の設置場所は、負荷の大きな窓側が好ましい。
【００４３】
（排気ダクト３２）
図１及び図２に示す排気ダクト３２は、屋外に向けて家屋の空気を排気するダクトである。
排気ダクト３２は、例えば洗濯機・乾燥機・アイロンなどの設備をまとめて設置した部屋であるユーティリティ３４や床下３６などに設置された排気グリル４０を排気の流れの基点にしている。
【００４４】
そして、排気グリル４０を基点として、そこから排気ダクト３２の途中に設けられた熱交換気ユニット１４を経由する。その後、家屋の外壁に形成された外気排出のための排出口１１に設置された深形フード１２２から家屋内の空気が屋外に排出される。
【００４５】
なお、熱交換気ユニット１４、送気ダクト３１及び排気ダクト３２は、結露防止のため断熱されている。また、熱交換気ユニット１４は、送気ダクト３１及び排気ダクト３２の通風抵抗を計算し、風量を十分に確保できる仕様のものを選択することが好適である。
【００４６】
さらに、空調機室１にあっては、エアコン、排気口、給気口の位置が近すぎて、狭い範囲で空気が循環してしまう現象であるショートサーキットを防止するため、空調機室１にあっては、エアコン２、排気口４１、外気導入口３１１の設置位置をできるだけ離すことが好ましい。
【００４７】
（空気の循環）
次にこのような構成のセントラル空調システムＳ１を使用した場合の空気の循環について主として図３及び４を参照して述べる。
給気送風機４を直流モータで駆動すると、空調機室１を起点とした空気の循環を生じる。同時にエアコン２も駆動しエアコン空気が混合部３３に流出する。給気送風機４が直流モータで駆動しているので、屋根裏空気吸込口４００及び外気導入口３１１からもそれぞれ屋根裏空気及び外気ＯＡが空調機室１に向けて流出するようになる。
【００４８】
すると、エアコン空気、屋根裏空気及び外気ＯＡはいずれも、垂れ壁６に衝突し、その後跳ね返るため、これら３空気は混在しあう。その結果、冬場は、エアコン空気によって屋根裏空気及び外気ＯＡは暖められ、夏場は反対に冷却される。当該混合した空気で混合部は一様な温度の空気（以下、混合空気）で満たされる。
【００４９】
そして、すでに給気送風機４が直流モータで駆動しているので、混合空気は、給気送風機４に向けて流れる。混合空気が流れることで、混合部３３を満たしている混合空気の量が減少するが、減少した分３空気は補填されるので、混合空気の量は一定に保たれる。
【００５０】
但し、外気ＯＡは、図１、２に示すフィルターユニット１３により外気ＯＡに含まれている粉塵が取り除かれた後、熱交換気ユニット１４を経由している。したがって、空調機室１の導入口３１１から空調機室１に導入された外気ＯＡは、エアコン２の設定温度とあまり差がない。
【００５１】
そして、給気送風機４に向けて流れる混合空気は、給気ダクト３経由で各居室４２及び床下３６に向けて送気される。
居室４２に送られた給気ＳＡは、その後、居室４２の通気口４３からホール４６を経由した後、ユーティリティ３４にその通気口３５を介して至る。その後、給気ＳＡは、室内空気ＲＡとして、ユーティリティ３４に設置された排気グリル４０を基点としてそこから排気ダクト３２を通り、熱交換気ユニット１４を経由して、排気ＥＡとして屋外に排出される。
【００５２】
また、図１に示す吹出しグリル５０から床下３６に送気された給気ＳＡは、その後、床下３６に設置された排気グリル４０からダクト３２を通り、熱交換気ユニット１４を経由して、同じく排気ＥＡとして屋外に排出される。
【００５３】
さらに、居室４２等の室内空気ＲＡは、ユーティリティ３４に流れる以外に、ホール４６の連通路４７（図１参照）を経由して空調機室１へ送られる。このようにして空気が住宅の内と外との間で環流する。
【００５４】
（作用・効果）
次に作用効果について述べる。
空調システムＳ１によれば、既述のように、エアコン空気、屋根裏空気及び外気ＯＡはいずれも、垂れ壁６に衝突し、その後跳ね返るため、これら３空気は混合しあう。
【００５５】
その結果、夏場や冬場に関わらず、混合部３３（図３、４参照）は一様な温度の空気（以下、混合空気）で満たされる。そして、すでに給気送風機４が直流モータで駆動しているので、混合空気は、給気送風機４に向けて流れる。
【００５６】
そして、給気送風機４に向けて流れる途中にある、３０〜５０センチ程度の狭路である通風空間Ｓがあり、かつ複数の給気送風機４によって混合部３３側から通風空間Ｓを経由して給気送風機４側に至る空気の流れができるようになる。したがって、空調機室１内（特に通風空間Ｓの部位）では乱流が発生する。乱流が発生するから、エアコン空気、屋根裏空気及び外気ＯＡは一層混合する。
【００５７】
給気送風機４は、空調機室１と住宅の居室４２その他の各部屋とを結ぶ複数のダクトの一方の口とつながっているので、当該ダクトを介して、ほぼ一様な温度の空気である混合空気が、各部屋に送気され、かつ住宅全体で環流する。
【００５８】
このため室間温度差を少なくすることができる。
このように本発明によれば、日照時間その他の外部環境の影響を受けても部屋毎に極端な温度差のない住宅環境にすることができる。
よって、本システムＳ１にあっては、例えば女性、老人、幼児など、温度の変化に敏感な利用者に対して、特に望ましい住環境を提供できる。
【００５９】
また、セントラル空調システムの空調機として、エアコン能力の小さな市販の家庭用エアコンを使用しているが、それにも拘わらず、本システムＳ１にあっては、複数の給気ダクト３は、それぞれ、一方の口が前記空調機室１を基点になるよう設置され、他方の口が住宅の複数の部屋に導かれるように配管されている。
【００６０】
また、本システムＳ１では、給気ダクト３の前記一方の口に対して、それぞれ設けられた複数の給気送風機４とで大きな風量を住宅の各部屋に供給する。このため、エアコンの吹き出し口から出る風量の温度がさほど低くなくとも、給気送風機４によって各部屋に供給される風量が多い分、夏場であっても涼しく感じることができる。
【００６１】
（実施例）
次に図９〜図１４を参照して実施例を説明する。
実施例が既述した参考例と異なるのは、混合部および給気送風機４の設置箇所のみである。
よって相違する箇所のみ説明し、上記の参考例と同一部分には、同一符号を付して説明を省略する。
【００６２】
この実施例が既述した参考例と相違する点を列挙すると、図９及び１０からわかるように、（１）給気送風機取り付け壁４４にエアコン２も設置されていること、（２）空調機室１の側壁１１１のうち、エアコン２と対向する位置に屋根裏空気吸込口４００が設けられていること（３）垂れ壁６がないこと、（４）垂れ壁６の代わりに画成板として、エアコン２の直下に水平板が配置されていること、（５）水平板が折りたたみ可能な板状材であること、である。
【００６３】
以下これらについて詳述する。
給気送風機取り付け壁４４には、図９〜１１に示すように、給気送風機４が３段の離隔状態で一段５基の給気送風機４（図１３参照）が合計１５基設置されている。これ以外に給気送風機取り付け壁４４の最上部には、エアコン２も設置されている。
【００６４】
空調機室１の側壁のうち、図９、１０及び１２に示すように、エアコン２と対向する位置にある側壁１１１Ａには、屋根裏空気吸込口４００が設けられている。よって、当該側壁１１１Ａをエアコン２に対向する側壁ということで対向側壁という。
【００６５】
そして、既述のように、実施例では垂れ壁６がない。但し、垂れ壁６の代わりに画成板として、図９、１０及び１４に示すように、エアコン２の直下に折りたたみ可能な板状材６１が設けられている。具体的には、板状材６１が、図示しないヒンジを軸として、図１０に示すように、水平状態と垂直状態との間で時計回り及び反時計回りに回転する。
【００６６】
板状材６１が水平状態にあるとき、図示しない係脱自在な固定手段によって水平状態が維持される。そして、板状材６１が、水平状態にあるとき、板状材６１の先端と、側壁１１１Ａとの間には、３０〜５０センチ程度の狭路である通風空間Ｓが形成される。これにより、空調機室１の上方部に混合部３００が形成される（図１０参照）。なお、混合部３００を形成する板状材６１は、垂れ壁６に比べコンパクトである。
【００６７】
また、実施例の場合、外気導入口（図示せず）は、エアコン２の設置高さに合わせて側壁１１１Ａの上方部に設置するのが好適である。
【００６８】
さらに、実施例の場合、空調機室１の上方部にある混合部３００において、外気導入口から取り込まれる外気、屋根裏空気吸込口４００から粉塵除去フィルター４０１を経由して取り込まれる屋根裏空気及びエアコン空気が混合する。そして、混合空気は、給気送風機４によって取り込まれ、前記給気ダクト３へ向けて送気される。
【００６９】
その後の空気の流れは、既述した参考例の場合と同様である。また、屋根裏空気吸込口４００がエアコン２と対向するように両者が設置されているので（図１０参照）、屋根裏空気吸込口４００から取り込まれる屋根裏空気とエアコン空気とが衝突しあう。したがって、混合効率がよい。
【００７０】
また、実施例では、垂れ壁６が無いことと、混合部３００を形成するための板状材６１が、垂れ壁６に比べてかなり小さめであるので、空調機室１をコンパクトにすることができる。また、実施例にあっては、空調機室１がコンパクトであっても、給気送風機取り付け壁４４には、給気送風機４を３段に取り付けて多段式にした。したがって、給気送風機４の数に遜色はなく、逆に多く設置できる。よって既述した参考例の場合と比べ空調効果に遜色はない。
【００７１】
他の作用効果は、既述した参考例の場合と同じである。
なお、前記画成板である板状材６１を蛇腹によって伸縮可能にしてもよい。
また、実施例では、点検口１７は、空調機室１の対向側壁１１１Ａ（図１２、１３参照）に形成されている。
【００７２】
次に図１５〜図１９を参照して他の参考例を説明する。
この他の参考例が既述した参考例と異なるのは、エアコン２の設置位置及び屋根裏空気吸込口４００の大きさである。
よって、既述した参考例と相違する箇所のみ説明することとし、既述した参考例と同一部分には、同一符号を付して説明を省略する。
【００７３】
他の参考例に係るエアコン２は、その位置が、垂れ壁６の最上位に位置する（図１５，１７参照）。そして、エアコン２の高さ寸法よりも幾分大きめの縦幅を有する屋根裏空気吸込口４００が、エアコン２と対向して側壁１１１に形成されている。また、実施例の場合と同様、図示は省略するが、外気導入口は、エアコン２の設置高さに合わせて側壁１１１の上方部に設置するのが好適である。
【００７４】
他の参考例の場合、屋根裏空気吸込口４００がエアコン２と対向するように両者が設置されている。よって、屋根裏空気吸込口４００から取り込まれる屋根裏空気とエアコン空気とが衝突しあうので、混合効率がよくなる。
【００７５】
他の参考例では、点検口１７は、図１９に示すように、空調機室１の一側壁１１１Ｂ（図１９参照）に形成されている。
【００７６】
（比較例）
図２０〜図２２は、本システムが採用された場合とそうでない場合を比較して示す図である。
【００７７】
図２０は、本システムが適用される前の各部屋の温度−時間線図であり、図２１は、本システムが適用された各部屋の温度−時間線図である。また、図２２は、本願発明の効果を説明するための比較表である。
【００７８】
図２０も図２１も、左側の縦軸は各部屋の室内摂氏温度を示し、同右側はサンプルした給気送風機４に付した番号を示し、横軸は測定時間を示す。図２０及び図２１において、領域ａ１はエアコン２を停止した状態を示す。
【００７９】
領域ａ１の意味することは、いずれの給気送風機４と給気ダクト３を介してつながっている各部屋の温度に差がないということである。これは、給気送風機４が、空調機室１では、エアコン２が稼働していないので、元々温度差がないからである。
【００８０】
また図２０において、領域ａ１以外は、エアコン２が稼働しているときの各部屋の室内摂氏温度を示す。図２０における複数のグラフ線のうち、下側にあるものほど温度が低く、上側にあるものほど温度が高いことがわかる。
【００８１】
これは、給気送風機４のエアコン２との位置関係で、下側にあるグラフ線に係る給気送風機４ほどエアコン２からの距離が近距離にあり、上側にあるグラフ線に係る給気送風機４ほどエアコン２からの距離が遠距離にあることを意味する。
【００８２】
さらに、図２０においては、複数のグラフ線のうち、下側にあるものと上側にあるものとの温度差が、図２１の温度−時間線図の場合と比べて温度幅が大きいことがわかる。
なお、図２１において領域ａ２は、エアコン２の電源をオン／オフしている状態である。
【００８３】
図２１における領域ａ１及びａ２以外の領域は、エアコン２が稼働しているときの各部屋の摂氏温度を示している。そして、複数のグラフ線のうち、下側にあるものと上側にあるものとの温度差が、図２０の場合と比較して小さいことがわかる。これは、外気ＯＡ、屋根裏空気及びエアコン空気の三者が、混合部３３で混合され、これによってできた混合空気が、複数ある給気送風機４のいずれにもほぼ一様に供給されるからである。
【００８４】
図２２は、サンプルである全ての給気送風機４に吸い込まれた空気温度を本システムが採用された場合とそうでない場合について示した図表である。この図表よりわかることは、次の通りである。
【００８５】
改善前最高温度であったＮＯ.２の給気送風機４からの送気による居室の温度２６．１℃と、同じく最低温度であったＮＯ.３の給気送風機４からの送気による居室の温度２３．５℃との温度差は２．６℃である。
【００８６】
これに対し、本システムが採用された場合、次のごとく改善された。
つまり、改善後最高温度であったＮＯ.４の給気送風機４からの送気による居室の温度２５．２℃と、改善後最低温度であったＮＯ.３の給気送風機４からの送気による居室の温度２４．８℃との温度差が０．４℃であることから、本システムが採用された方が、図２０及び２１で比較説明したように、各部屋の室内摂氏温度の差が小さいということである。
【００８７】
言い換えると、図２２に示すように、給気送風機４に吸い込まれた空気温度の平均値のばらつき（最大値と最小値の差）が、２．７℃から０．４℃と大きく改善されたことがわかる。
また、図２０及び２１の横軸の各測定時（２分毎）の最大温度の平均値も２．７℃から０．４℃と大きく改善されたことがわかる。
【符号の説明】
【００８８】
Ｓ１  セントラル空調システム
１  空調機室
２  エアコン（空調機）
３  給気ダクト（ダクト）
４  給気送風機
６  垂れ壁（画成板）
１０  外気取込口
１１  排出口
１２ｂ  壁面
１３  フィルターユニット（フィルター）
１４  熱交換気ユニット
１５  ガラリ
１６  床面
１７  点検口
２１  室内機
２２  室外機
３１  送気ダクト
３２  排気ダクト
３３  混合部
３４  ユーティリティ
３５  通気口
３６  床下
４０  排気グリル
４１  排気口
４２  居室
４３  通気口
４４  給気送風機取り付け壁
４６  ホール
４７  連通路
５０  吹出しグリル（送風機）
６１  板状材（水平板、画成板）
１００  分散室
１０２  配管スペース
１１１  側壁（空調機室の一壁面）
１１１Ａ  対向側壁
１２１  深形フード
１２２  深形フード
３００  混合部
３１１  外気導入口（外部空気取込口）
４００  屋根裏空気吸込口（外部空気取込口）
４０１  粉塵除去フィルター
ＥＡ  排気
ＯＡ  外気
ＲＡ  室内空気
ＳＡ  給気
Ｓ  通風空間
ａ１，ａ２  グラフ上の領域
【図１】
0005542167.tif 000002
【図２】
0005542167.tif 000003
【図３】
0005542167.tif 000004
【図４】
0005542167.tif 000005
【図５】
0005542167.tif 000006
【図６】
0005542167.tif 000007
【図７】
0005542167.tif 000008
【図８】
0005542167.tif 000009
【図９】
0005542167.tif 000010
【図１０】
0005542167.tif 000011
【図１１】
0005542167.tif 000012
【図１２】
0005542167.tif 000013
【図１３】
0005542167.tif 000014
【図１４】
0005542167.tif 000015
【図１５】
0005542167.tif 000016
【図１６】
0005542167.tif 000017
【図１７】
0005542167.tif 000018
【図１８】
0005542167.tif 000019
【図１９】
0005542167.tif 000020
【図２０】
0005542167.tif 000021
【図２１】
0005542167.tif 000022
【図２２】
0005542167.tif 000023